(57)【要約】【課題】            スキャナー装置がレジカウンターに位置固定とされているために、表示文字が目視確認しずらかったり、作業がやりにくい場合が生じてしまう点である。【解決手段】        スキャナー台は少なくとも商品に装備されているバーコード等の表示の読み取り部と価格の表示部を有するスキャナー装置をカウンターに対して位置可変に設けてあることとし、前記したスキャナー装置は昇降するものであることとし、前記したスキャナー装置の前面には商品を収納するための袋を掛ける袋掛けが備えられており、スキャナー装置における据え付け（固定）スキャナーと前記袋掛けを操作し易いよう相互に任意の高さに設置固定し、店員側（操作人）の身長に応じて前記したスキャナー装置及び袋掛けを昇降させることとし、前記した昇降はフットベダルによって作動する油圧系によってなされることとする。【選択図】          図１
2005208973.tif 000002
【特許請求の範囲】
【請求項１】
少なくとも商品に装備されているバーコード等の表示の読み取り部と価格の表示部を有するスキャナー装置をカウンターに対して位置可変に設けてあることを特徴とするスキャナー台。
【請求項２】
前記したスキャナー装置は昇降するものであることを特徴とする請求項１に記載のスキャナー台。
【請求項３】
前記したスキャナー装置の前面には商品を収納するための袋を掛ける袋掛けが備えられており、スキャナー装置における据え付け（固定）スキャナーと前記袋掛けを操作し易いよう相互に任意の高さに設置固定し、店員側（操作人）の身長に応じて前記したスキャナー装置及び袋掛けを昇降させることを特徴とする請求項１または請求項２に記載のスキャナー台。
【請求項４】
前記した昇降はフットベダルによって作動する油圧系によってなされることを特徴とする請求項２または請求項３に記載のスキャナー台。
【発明の詳細な説明】
【技術分野】
【０００１】
本発明はスキャナー台、特にスーパーマーケット、量販店等客が各自で欲しい商品を棚等から取り、カゴ等に入れてレジカウンターまで運び料金を精算するシステムにおける前記レジカウンターに付設されるスキャナー台の改良に関する。
【背景技術】
【０００２】
一般的に、スーパーマーケットや量販店等にあっては各々の商品にその内容や価格等の情報を保持させたバーコード等が付けられており、客は各自に商品をカゴ等に取ってレジカウンターまで運び商品の料金を一括して精算するシステムとなっている。
【０００３】
そして、レジカウンターには前記したバーコード等の情報を読み取り、累積された料金を知らしめるスキャナー装置が設けられている。このスキャナー装置における読み取り装置（スキャナー）は手に握持するハンドタイプのものと、商品のバーコード等を対応させる据え付けタイプのものが存在している。
【０００４】
また、前記したスキャナー装置には商品の価格を表示する表示部が店員側及び客側に向けて備えられ、表示される数字を同時に目視確認できるようになっている。さらに、そのの表示部には複数の商品の購入時にはそのトータル価格が最終的に表示され、客はその表示により精算を行なうものとなっている。
【０００５】
しかしながら、従来のスキャナー装置はレジカウンターに対して固定されている。そのため読み取り装置はハンドタイプの場合を除いて位置固定となり、価格の表示部も傾斜度が調整できる程度で位置固定とされている。
【０００６】
そのため、客側にしても店員側にしても個人による身長の差や車椅子使用等における場合の目線の高さに差異が生じ表示が良好に目視確認できなかったり、店員側にしてみれば読み取り作業や商品の袋詰め作業等が行ないにくい状況も生じてしまう。
【特許文献１】本発明について、出願人において先行技術の調査を行なったが、格別に類似すると思われる文献は発見できなかった。
【発明の開示】
【発明が解決しようとする課題】
【０００７】
本発明が解決しようとする問題点はスキャナー装置がレジカウンターに位置固定とされているために、表示文字が目視確認しずらかったり、作業がやりにくい場合が生じてしまう点である。
【課題を解決するための手段】
【０００８】
この問題点を解決するために本発明に係るスキャナー台は少なくとも商品に装備されているバーコード等の表示の読み取り部と価格の表示部を有するスキャナー装置をカウンターに対して位置可変に設けてあることを特徴とし、前記したスキャナー装置は昇降するものであることを特徴とし、前記したスキャナー装置の前面には商品を収納するための袋を掛ける袋掛けが備えられており、スキャナー装置における据え付け（固定）スキャナーと前記袋掛けを操作し易いよう相互に任意の高さに設置固定し、店員側（操作人）の身長に応じて前記したスキャナー装置及び袋掛けを昇降させることを特徴とし、前記した昇降はフットベダルによって作動する油圧系によってなされることを特徴としている。
【発明の効果】
【０００９】
本発明は上記したような構成としたため、スキャナー装置、特に読み取り部や表示部が位置可変、それも昇降（上下動）するため、据え付け（固定）のスキャナーと袋掛けとの位置調整後に客や店員の身長に合わせて位置が変更できることとなり目線が合わせやすくなって目視確認や読み取り、袋詰め等の作業もスムーズに実行し易くなる。また、前記した昇降の作動もワンタッチで済み煩雑な操作は一切不要とされる。
【発明を実施するための最良の形態】
【００１０】
取り扱い易く、故障もなく目的を達成するため、本発明を実施例として図面により示す構成として実現した。
【実施例１】
【００１１】
次に、本発明の好ましい実施の一例を図面を参照して説明する。図１は本発明を実施したスキャナー台の正面図、図２は同じく平面図、図３は同じく側面図である。
【００１２】
これらの図にあって１はレジカウンターを示しており、このレジカウンター１は略７０ｃｍの高さに設定され、天板の周囲には衝突の衝撃を緩らげる緩衝材が設けられている。このレジカウンター１の一方側にはカゴ等を載せるための置き棚２がブラケット３・３で支持されて備えられ、置き棚２はステンレス製のパンチングプレートによって成形されている。
【００１３】
また、レジカウンター１の他方側には段を低くして置き棚４が設けられており、この置き棚４の下段にはさらにスライドして突出させ収容させることが可能な補助テーブル５が設けられている。さらに図中６はレジカウンター１の下方の一側から前面にかけて設けられたゴムバンパーである。
【００１４】
そして、レジカウンター１の一部には切り欠き部が形成され、その切り欠き部の下方には前面に開閉扉を備えた空室７が設けられ、その空室７の天板上には買い物袋等が収納される引き出し８が形成されている。
【００１５】
前記した引き出しの後方部分にはスキャナー装置９がスタンド（ケース）１０等によって支持ガイドされて設けられている。このスキャナー装置９には商品に付設されたバーコード等を読み取る読み取り部１１と、価格を店員側に示す表示部１２及び客側に示す表示部１３が設けられており、読み取り部１１がうまく作動しなかったり、同一商品を複数購入した際の乗算を行なうため等のキーボード１４が設けられている。図中１５はこのスキャナー装置９の側面に備えられたポリティッシュ入れである。
【００１６】
また、前記した引き出し８上でスキャナー装置９の前面位置には買い物袋を開口させた状態で掛けることができる袋掛け１６が設けられており、ここに袋を掛けておくと、店員はサービスとして買われた商品をスキャン後に順次収納し、袋詰めの状態で客に渡すことができる。
【００１７】
さらに、前記した空室７内には油圧系、特に油圧ジャッキ１７が収用されており、外方へ突出されたフットペダル１８を踏む操作によって前記した油圧ジャッキ１７が作動してスキャナー装置９を袋掛け１６と共に昇降させることができるようになっている。一方、１９は前述とはサイズの異なる買い物袋が収納される二段構成の引き出しとなっている。
【産業上の利用可能性】
【００１８】
本発明はレジカウンターに対してスキャナー装置を位置可変とするので、実施例として示した昇降動作のほか、左右へのスライド、前後へのスライドに加え、必要パートを回動させること等として実現することができる。また、駆動手段としても油圧系のほか、電動モータによりギヤやベルトを介在させて行なうことも単に手動で行なうことも可能となり、入力もフットペダルのほか、入力スイッチや手動ハンドル等を用いることも可能である。
【図面の簡単な説明】
【００１９】
【図１】本発明を実施したスキャナー台の正面図である。
【図２】平面図である。
【図３】側面図である。
【符号の説明】
【００２０】
１    レジカウンター
２    置き棚
３    ブラケット
４    置き棚
５    補助テーブル
６    ゴムバンパー
７    空室
８    引き出し
９    スキャナー装置
１０  スタンド
１１  読み取り部
１２  表示部
１３  表示部
１４  キーボード
１５  ポリティッシュ入れ
１６  袋掛け
１７  油圧ジャッキ
１８  フットペダル
１９  引き出し
【図１】
2005208973.tif 000003
【図２】
2005208973.tif 000004
【図３】
2005208973.tif 000005